(57)【要約】【課題】本発明は、第２血行促進部材が保持される上層を、第１血行促進部材が保持される下層から容易に剥がすことができる身体血行促進具の提供を目的とする。【解決手段】下層３と、上層２とを備える。下層２は、その下面に、身体の一部に引き剥がし可能に接着し得る第１粘着層３２を備える。又、この第１粘着層３２に、磁石が接着される。上層３は、発熱剤２１を保持した上層本体３０と、上層本体３０を下層２の上面に引き剥がし可能に接着した第２粘着層２２と、発熱剤２１の発熱に伴い加熱されると、その端縁部が上方側に反り返るように変形し得る熱変形部材６とを備えている。【選択図】図１
2010274056.tif 000002
【特許請求の範囲】
【請求項１】
身体の一部に接着され血行促進部材によって血行を促進できるようにした身体血行促進具であって、
第１血行促進部材を保持する下層と、第２血行促進部材を保持する上層とを備え、
前記下層は、その下面に、前記身体の一部に引き剥がし可能に接着し得る第１粘着層を備え、
前記第２血行促進部材は、発熱剤から構成され、
前記上層は、前記発熱剤を保持した上層本体と、その上層本体を前記下層の上面に引き剥がし可能に接着した第２粘着層と、前記上層本体の下方側に配設された熱変形部材とを備え、
前記熱変形部材は、前記発熱剤の発熱に伴い加熱されると、その端縁部が上方側に反り返るように変形し得るものから構成されていることを特徴とする身体血行促進具。
【請求項２】
前記熱変形部材の端縁部は、前記上層本体の端縁部に配設されていることを特徴とする請求項１記載の身体血行促進具。
【請求項３】
前記熱変形部材の下面における少なくとも端縁部には、第２粘着層が形成されていない非粘着領域が設けられていることを特徴とする請求項１又は２記載の身体血行促進具。
【請求項４】
前記第１血行促進部材は、磁石から構成されているとともに、その磁石は、前記第１粘着層が前記身体の一部に接着される際に前記第１粘着層に接着可能とされ、
前記第１粘着層には、その第１粘着層を剥離可能に覆った剥離紙が設けられ、
前記剥離紙は、第１隣接辺を有する第１剥離紙片と、その第１隣接辺と隣接する第２隣接辺を有する第２剥離紙片とを備え、
前記第１隣接辺と第２隣接辺とのいずれか一方に、少なくとも１つの凹部が設けられ、
前記いずれか他方に、前記凹部を覆い得るように形成された凸部が設けられていることを特徴とする請求項１〜３のいずれか一項に記載の身体血行促進具。
【請求項５】
前記凹部は、前記第１隣接辺又は第２隣接辺から、前記磁石を配置し得るように切り込まれた切り込み凹部から構成され、
前記凸部は、前記第２隣接辺又は第１隣接辺から前記他方側に突出された突片から構成されていることを特徴とする請求項４記載の身体血行促進具。
【発明の詳細な説明】
【技術分野】
【０００１】
本発明は、身体の一部に接着され血行促進部材によって血行を促進する身体血行促進具に関するものである。
【背景技術】
【０００２】
身体の一部に接着され血行促進部材によって血行を促進する身体血行促進具は、従来から知られている。例えば血行促進部材として発熱剤を用いた発熱体貼着具、或いは、血行促進部材として磁石を用いた磁石貼着具等が広く知られている。又、例えば特許文献１に、貼付用温灸磁気治療具が提案されている。このものは、貼付用シールの上に、第１血行促進部材としての発熱剤（発熱体）をつけ、その発熱剤の中央に、第２血行促進部材としての磁石を組み入れたものである。このように構成することにより、身体の一部に貼れば、発熱剤による発熱と磁石の磁力との両方で身体の血行を促進することができ、発熱剤又は磁石の一方の場合に較べて、より一層、血行の促進を図ることができる。
【先行技術文献】
【特許文献】
【０００３】
【特許文献１】特開２００３−１７５０８９号公報
【発明の概要】
【発明が解決しようとする課題】
【０００４】
ところで、上記のように身体の一部に貼り付けて使用するような形態では、発熱剤の発熱により血行促進効果を得られる時間は、磁石によるそれよりも通常短く、発熱剤の上記効果が終わった後においても磁石は使用できる。しかしながら、上記特許文献１に記載の貼付用温灸磁気治療具においては、発熱剤の上記効果が終わった後に、磁石だけを使用するような手段がなされていない。従って、上記のものでは、発熱剤の上記効果が終わった後は、全体を身体から剥がして廃棄等するか、或いは、効果のなくなった発熱剤をそのまま身体に貼っておくことになる。全体を廃棄すれば、使用可能な磁石も同時に短時間で取り外して廃棄することになってしまい、不経済なものになってしまう。その一方、ほとんど効果のなくなった発熱剤をそのまま身体に貼っておいたのでは、嵩張って邪魔になり、使用し難い場合も多い。
【０００５】
本発明は、第２血行促進部材を保持した上層を、第１血行促進部材を保持した下層から容易に剥がすことができる身体血行促進具の提供を目的とする。
【課題を解決するための手段】
【０００６】
上記課題を解決するため、請求項１の発明は、身体の一部に接着され血行促進部材によって血行を促進できるようにした身体血行促進具であって、第１血行促進部材を保持する下層と、第２血行促進部材を保持する上層とを備え、前記下層は、その下面に、前記身体の一部に引き剥がし可能に接着し得る第１粘着層を備え、前記第２血行促進部材は、発熱剤から構成され、前記上層は、前記発熱剤を保持した上層本体と、その上層本体を前記下層の上面に引き剥がし可能に接着した第２粘着層と、前記上層本体の下方側に配設された熱変形部材とを備え、前記熱変形部材は、前記発熱剤の発熱に伴い加熱されると、その端縁部が上方側に反り返るように変形し得るものから構成されていることを特徴とする身体血行促進具を提供する。
【０００７】
請求項２の発明は、請求項１に係る前記熱変形部材の端縁部が、前記上層本体の端縁部に配設されていることを特徴とするものである。
【０００８】
請求項３の発明は、請求項１又は２に係る前記熱変形部材の下面における少なくとも端縁部には、第２粘着層が形成されていない非粘着領域が設けられていることを特徴とするものである。
【０００９】
請求項４の発明は、請求項１〜３のいずれか一項に係る前記第１血行促進部材が、磁石から構成されているとともに、その磁石は、前記第１粘着層が前記身体の一部に接着される際に前記第１粘着層に接着可能とされ、前記第１粘着層には、その第１粘着層を剥離可能に覆った剥離紙が設けられ、前記剥離紙は、第１隣接辺を有する第１剥離紙片と、その第１隣接辺と隣接する第２隣接辺を有する第２剥離紙片とを備え、前記第１隣接辺と第２隣接辺とのいずれか一方に、少なくとも１つの凹部が設けられ、前記いずれか他方に、前記凹部を覆い得るように形成された凸部が設けられていることを特徴とするものである。
【００１０】
請求項５の発明は、請求項４に係る前記凹部は、前記第１隣接辺又は第２隣接辺から、前記磁石を配置し得るように切り込まれた切り込み凹部から構成され、前記凸部は、前記第２隣接辺又は第１隣接辺から前記他方側に突出された突片から構成されていることを特徴とするものである。
【発明の効果】
【００１１】
本発明の請求項１及び２によれば、第２血行促進部材は、発熱剤から構成され、上層は、発熱剤を保持する上層本体を備えているとともに、上層本体の下方側に配設された熱変形部材を備える。又、熱変形部材は、発熱剤の発熱に伴い加熱されると、その端縁部が上方側に反り返るように変形し得るものから構成される。
【００１２】
これにより、発熱剤の発熱に伴って熱変形部材の端縁部が上方側に反り返ると、例えば上層本体の端縁部を上方に押し上げることが可能になり、上層本体の端縁部を上層を下層から引き離すことができる。従って、上層の発熱剤による効果が得られなくなって上層を下層から引き剥がす場合は、その上層本体の端縁部を、熱変形部材の端縁部と共に把持し易くでき、上層の引き剥がし操作を容易なものにできる。
【００１３】
又、熱変形部材の端縁部が上方側に反り返る際に、第２粘着層に、下層に対して引き剥がす力をかけることができ、下層に接着した第２粘着層の接着力を弱めることができる。従って、上層を下層から引き剥がしやすいものにでき、例えば身体に接着した状態から上層を引っ張れば、下層を身体に接着した状態を維持させながら上層を下層から引き剥がしすることも可能になる。
【００１４】
請求項３によれば、熱変形部材の下面における少なくとも端縁部には、第２粘着層が形成されていない非粘着領域が設けられている。
【００１５】
これにより、例えば熱変形部材の下面の端縁部に粘着層を形成した場合に較べ、熱変形部材の端縁部を、より一層、上方側に反り返らせることができる。従って、下層から上層を引き剥がす際には、その反り返った部分を把持して引き剥がし操作をでき、より一層、容易に引き剥がすことができる。又、非粘着領域を把持した際、第２粘着層が手に触れることがなく、操作し易いものにできる。
【００１６】
請求項４によれば、剥離紙は、第１隣接辺を有する第１剥離紙片と、その第１隣接辺と隣接する第２隣接辺を有する第２剥離紙片とを備え、第１隣接辺と第２隣接辺とのいずれか一方に、凹部が設けられる。又、いずれか他方に、凹部を覆い得るように形成された凸部が設けられている。
【００１７】
これにより、磁石を、第１粘着層に接着させて保持させる場合は、例えば凸部を剥離すれば磁石を配置できる程度に第１粘着層を露出させることもできる。そして、その状態で、その部分に磁石を配置すれば第１粘着層に磁石を接着できる。従って、磁石を第１粘着層に接着させて保持させる際に、手を第１粘着層に触れ難くでき、容易に行なうことができる。
【００１８】
請求項５によれば、凹部は、第１隣接辺又は第２隣接辺から、磁石を配置し得るように切り込まれた切り込み凹部から構成され、凸部は、第２隣接辺又は第１隣接辺から他方側に突出された突片から構成されている。
【００１９】
これにより、より一層、磁石を第１粘着層に接着させる作業を容易なものにできる。しかも、磁石を、第１粘着層における所定位置に接着でき、例えば切り込み凹部を第１粘着層の中央に設定しておけば、磁石を、第１粘着層の中央に接着できる。従って、磁石を第１粘着層で確実に保持でき、例えば使用中に磁石が外れるおそれの少ないものにできる。
【図面の簡単な説明】
【００２０】
【図１】本発明の一実施の形態の身体血行促進具の分解斜視図である。
【図２】その身体血行促進具の底面図である。
【図３】上層の底面図である。
【図４】第２剥離紙片の突片を剥離した際の断面説明図である。
【図５】磁石配置部に磁石を配置した状態の断面説明図である。
【図６】本発明の身体血行促進具を身体に接着させた状態の断面図である。
【図７】上層の発熱剤の発熱が終了した際の断面図である。
【発明を実施するための形態】
【００２１】
以下、本発明を実施するための最良の形態について、図面を参照しながら詳細に説明する。図１は、本発明の一実施の形態の身体血行促進具の分解斜視図、図２は、その身体血行促進具の底面図、図３は、上層の底面図である。
【００２２】
本実施形態の身体血行促進具１は、図１に示すように、上層２と、下層３と、剥離紙４とを備えている。上層２は、上層本体２０と、上層本体２０を下層３の上面に引き剥がし可能に接着した図３に示す第２粘着層２２と、熱変形部材６とを備えている。
【００２３】
上層本体２０は、この実施形態では、１辺が４０ｍｍ程度の正方形状のものから構成されており、図４に示すように上壁２０ａと、下壁２０ｂ（図４では、上壁２０ａの上側に表れている）と、それらの上壁２０ａと下壁２０ｂと間に保持された第２血行促進部材としての発熱剤２１とを備えている。
【００２４】
上壁２０ａと下壁２０ｂとは、上下に重ね合わされるとともに、その間に発熱剤２１を配設した状態で、外周縁部が全周にわたって互いに連結されており、下壁２０ｂの下面が上層本体２０の下面を構成している。
【００２５】
発熱剤２１は、この実施形態では、従来から使い捨てカイロ等の発熱剤として用いられているものと同様のもので、酸化作用によって発熱するものから構成されている。より詳しくは、発熱剤２１は、鉄粉、反応触媒としての水及び食塩、それを保持する高分子吸収剤、活性炭、バーミキュライト等を含むものから構成されている。
【００２６】
そして、図示しないが、身体血行促進具１の全体が合成樹脂製のフィルム包装材で密封包装されており、使用に際してフィルム包装材から身体血行促進具１が取り出されるようになっている。これにより、上層本体２０の上壁２０ａに設けられた通気孔２１ｃ（図１に図示）から空気が入り、その空気が発熱剤２１に触れて発熱剤２１が発熱するようになっている。
【００２７】
又、この実施形態では、発熱剤２１の量は、設定温度で３時間〜４時間程度、発熱し続けることができるように設定されている。尚、発熱剤２１の種類や量は、特に限定されず、適宜変更使用できる。
【００２８】
熱変形部材６は、所定の形状を与えた温度に戻すとその与えられた所定の形状に回復する機能を有する形状記憶部材から構成されている。詳しくは、熱変形部材６は、細長板状の形状記憶樹脂片から構成されており、所定の温度、例えば４０°Ｃ程度になると、両端縁部が上方側に反り返った形状になるように構成されている（図７参照）。
【００２９】
そして、この熱変形部材６は、図１、図３に示すように、その長手方向の前端縁部（一端縁部）が上層本体２０の前端縁部（一端縁部）に、その後端縁部（他端縁部）が上層本体２０の後前端縁部（他端縁部）に夫々配設されているとともに、上層本体２０の下面に接着剤等の固定手段によって固定されている。
【００３０】
又、このようにして熱変形部材６が上層本体２０の下面に配設されることによって、熱変形部材６の下面の全体と、上層本体２０の下面の一部とが、下層３の上面と対向する対向面２５を構成している。
【００３１】
第２粘着層２２は、この実施形態では、図３に示すように、上記下壁２０ｂの下面の前後左右の中央部及び熱変形部材６の下面における前後の中央部に配設されており、下壁２０ｂの下面の外周縁部及び熱変形部材６の下面の前後の両端縁部には配設されずに上記対向面２５の一部にだけ形成されたものとされている。
【００３２】
従って、この実施形態の熱変形部材６の両端縁部の下面には、第２粘着層２２が形成された前後中央部の粘着領域２３と、第２粘着層２２が形成されていない両端縁部の非粘着領域２４とが設けられている。
【００３３】
又、この実施形態では、第２粘着層２２は、下層３に接着した後の下層３からの引き剥がし力が、後述する下層３の第１粘着層３２の身体からの引き剥がし力よりも小さくなるように設定されている。
【００３４】
この実施形態では、第２粘着層２２の下層３からの引き剥がし力（ＪＩＳ  Ｚ０２３７（２０００）に規定される粘着力の試験方法に基づく引き剥がし力）が、０．２ニュートン／２５ｍｍ〜１．０ニュートン／２５ｍｍになるように設定されている。
【００３５】
上記引き剥がし力が０．２ニュートン／２５ｍｍよりも小さくなると、使用中に下層３から剥がれてしまうおそれが生じる。一方、１．０ニュートン／２５ｍｍを越えると下層３から引き剥がし難くなってしまう。
【００３６】
尚、第２粘着層２２の上記引き剥がし力は、上記設定範囲内に限らず、適宜変更できる。
【００３７】
下層３は、図１に示すように下層本体３０と、下層本体３０の下面に設けられた第１粘着層３２とを備えている。下層本体３０は、この実施形態では、上記上層本体２０と同形状及び同じ大きさの布から構成されている。
【００３８】
第１粘着層３２は、身体（皮膚）の一部に接着されるとともに、第１血行促進部材としての磁石を接着させて保持する。この実施形態では、上記第２粘着層２２を構成した粘着剤と同じ粘着剤から構成され、図４に示すように下層本体３０の下面の全体に、第２粘着層２２と略同厚さで形成されている。
【００３９】
従って、この実施形態では、第１粘着層３２の面積は、上記第２粘着層２２の面積よりも大きい。
【００４０】
又、この実施形態における第１粘着層３２は、身体に接着した後の身体からの引き剥がし力（上記ＪＩＳ  Ｚ０２３７（２０００）に基づくもの）が、上記上層の第２粘着層２２の引き剥がし力よりも少なくとも０．８ニュートン／２５ｍｍ、大きくなるように設定されている。
【００４１】
尚、第１粘着層３２の引き剥がし力は、上記設定のものに限らず、適宜変更できる。ただし、第１粘着層３２の引き剥がし力を上記のように設定しておけば、下層３を身体の一部に接着した状態を維持しながら上層２を下層３から容易に引き剥がすことができ、その点で好ましい。
【００４２】
そして、この下層３は、上層２の下方側に重ね合わされて積層されるようにして、その上面が上層２の第２粘着層２２に接着される。
【００４３】
剥離紙４は、第１粘着層を剥離可能に覆っている。この実施形態では、図１、図２に示すように第１隣接辺４１ａを有する第１剥離紙片４１と、その第１隣接辺４１ａと隣接する第２隣接辺４２ａを有する第２剥離紙片４２とを備えている。
【００４４】
第１剥離紙片４１の第１隣接辺４１ａには、第２剥離紙片４２と反対側に凹まされるようにして形成された凹部が設けられている。この実施形態では、凹部は、第１隣接辺４１ａから切り込まれるようにして形成された切り込み凹部４３から構成されている。
【００４５】
この切り込み凹部４３は、磁石５を配置する磁石配置部４３ａと、第１隣接辺４１ａと磁石配置部４３ａとを連通するように形成された幅狭部４３ｂとから構成されている。
【００４６】
磁石配置部４３ａは、内周壁４３ｃによって、磁石５の外周とほぼ同じ形状及び大きさの円形状に区画形成されていることにより磁石５を第１粘着層３２に接着し易い形状に形成されている。又、この実施形態では、磁石配置部４３ａは、その中心が第１粘着層３２の中心Ｏに一致するように形成されている。
【００４７】
幅狭部４３ｂは、その幅Ｌ１が、磁石配置部４３ａの幅Ｌ２よりも狭くなるように構成されている。
【００４８】
一方、第２剥離紙片４２の第２隣接辺４２ａには、第１剥離紙片４１側に突出するように形成された凸部が設けられている。この実施形態では、凸部は、第２隣接辺４２ａから第１剥離紙片４１側に突出された突片４４から構成されている。この突片４４は、磁石配置部４３ａに対応する位置に配設された磁石配置部用被覆片４４ａと、幅狭部４３ｂに対応する位置に配設された幅狭部被覆片４４ｂとを備えている。
【００４９】
磁石配置部用被覆片４４ａは、磁石配置部４３ａの全体を覆い得る形状及び大きさのものから構成される。この実施形態では、磁石配置部４３ａと略同形状及び略同じ大きさに形成されている。
【００５０】
幅狭部被覆片４４ｂは、幅狭部４３ｂの全体を覆い得る形状及び大きさのものから構成される。この実施形態では、幅狭部４３ｂと略同形状及び略同じ大きさに形成されている。
【００５１】
尚、この磁石配置部用被覆片４４ａや幅狭部被覆片４４ｂは、磁石配置部４３ａ、幅狭部４３ｂよりも大きくても良く、適宜変更できる。
【００５２】
又、凹部は、切り込み凹部４３から構成される形態のものに限らず、例えば第１隣接辺４１ａの全体を湾曲状に窪ませるようにして第１隣接辺４１ａの全体に形成されるものであっても良く、適宜変更できる。
【００５３】
又、凹部を、切り込み凹部４３から構成する場合、切り込み凹部４３を１つだけ設ける形態のものに限らず、複数の切り込み凹部４３を設けても良い。
【００５４】
以上のように構成された本発明の身体血行促進具１の動作について説明する。まず、本発明の身体血行促進具１を、図示しないフィルム包装材から取り出す。これにより、上層２の発熱剤２１が酸化作用によって発熱し始める。
【００５５】
又、別途準備した磁石５を下層３の第１粘着層３２に接着させる。又、その接着を、例えば、次のようにして行なうことができる。例えば剥離紙４を上側にして、図２、図５に示すように、折り目線７を、第１剥離紙片４１の磁石配置部４３ａを横切るように形成し、その折り目線７に沿って山折りする。
【００５６】
これにより、第２剥離紙片４２の磁石配置部用被覆片４４ａの先端部を、磁石配置部４３ａから離すことができる。そして、この状態から、その先端部を、前方側（図５の左側）の幅狭部被覆片４４ｂ側に回動操作する。
【００５７】
その際、幅狭部被覆片４４ｂの幅が磁石配置部４３ａよりも幅狭に形成されているため、幅狭部被覆片４４ｂが折り曲がって回動の軸になり、容易に回動操作できる。
【００５８】
又、この磁石配置部用被覆片４４ａの回動により、第１粘着層３２における磁石配置部４３ａに対応する部分が露出する。そして、この状態で、図６に示すように磁石５を当該部分に接着させる。
【００５９】
その接着に際しては、第１粘着層３２における当該部分以外の他の部分は露出していないため、第１粘着層３２に手が触れるようなことがなく、容易に磁石５を接着できる。
【００６０】
又、回動の軸になった幅狭部被覆片４４ｂを、例えば磁石配置部４３ａと同程度の幅又はそれ以上の幅に形成した場合には、回動した磁石配置部用被覆片４４ａが弾性によって元の状態に近い状態にまで戻って磁石配置部４３ａを覆い、磁石配置部用被覆片４４ａが邪魔になって磁石５を磁石配置部４３ａに置き難い。
【００６１】
しかし、この実施形態では、幅狭部被覆片４４ｂを磁石配置部４３ａよりも幅狭に形成しているため、幅狭部被覆片４４ｂの弾性力を小さくでき、回動した磁石配置部用被覆片４４ａを戻り難くできる。
【００６２】
又、磁石５を磁石配置部４３ａに置くことで、磁石５を、常に第１粘着層３２の中心部に配設できる。従って、磁石を第１粘着層で確実に保持でき、例えば使用中に磁石が外れるおそれの少ないものにできる。
【００６３】
次に、第１剥離紙片４１及び第２剥離紙片４２を第１粘着層３２から剥離し、図６に示すように、身体の患部（一部）、例えば肩部Ｋに、磁石５を当てるとともに第１粘着層３２を接着させる。これにより、磁石５の磁力及び発熱剤２１の発熱によって肩部Ｋの血行を促進できる。
【００６４】
又、発熱剤２１が発熱し熱変形部材６が変形し、所定の温度になると、図７に示すように、熱変形部材６の前後の両端縁部が上方側に反り上がる。また、それに伴い、上層本体２０の前後の両端縁部も上方側に押し上げられて反り返っていく。尚、図６、図７では、発熱剤２１を省略している。
【００６５】
又、その際、上層本体２０の下面における前後の両端縁部には、非粘着領域２４が形成されているため、非粘着領域２４を形成していない場合に較べて、容易に上方側に反り上がるとともに、反り上がり量を多くできる。
【００６６】
そして、発熱剤２１が発熱できなくなって発熱による血行促進効果が期待できなくなった状態で（この実施形態では、発熱開始から３〜４時間後）は、上層２の前後夫々の端縁部が下層３から引き離され、両者間に、上層２の端縁部を把持できる程度の隙間１０を形成できる。
【００６７】
従って、発熱剤２１が発熱できなくなった後は、上層本体２０及び熱変形部材６の端縁部を把持し、例えば上方側に引っ張る。これにより、下層３を肩部Ｋに接着した状態を維持させながら上層２を下層３から剥がすことができる。
【００６８】
又、その際、上層２の第２粘着層２２における下層３からの引き剥がし力が下層３の第１粘着層３２における肩部Ｋからの引き剥がし力よりも小さく設定されているとともに、第２粘着層２２の面積を第１粘着層３２の面積よりも小さく設定しているため、より一層、容易に上層２を下層３から剥がすことができる。
【００６９】
従って、上層２の下層３からの引き剥がしを容易に行なうことができ、例えば上層２を下層３から引き剥がすよりも先に下層３が肩部から剥がれてしまうということを防止でき、その下層３から上層２を引き剥がした後に、再度、下層３を肩部に貼り付けるという面倒な作業を行なう必要のないものにできる。
【００７０】
上層２を引き剥がした後は、下層３に保持させた磁石５によって血行の促進を図ることができる。
【００７１】
尚、上記実施形態では、第２粘着層２２における下層３からの引き剥がし力を下層３の第１粘着層３２における身体からの引き剥がし力よりも小さくするとともに、第２粘着層２２の面積を第１粘着層３２の面積よりも小さくしているが、この形態のものに限らず、適宜変更できる。
【００７２】
例えば、第２粘着層２２の上記引き剥がし力を第１粘着層３２の上記引き剥がし力と同じ又はそれよりも大きくし、或いは、第２粘着層２２の面積を第１粘着層３２の面積と同じ又は第１粘着層３２の面積よりも大きくしても良い。
【００７３】
又、第２粘着層２２の上記引き剥がし力を第１粘着層３２の上記引き剥がし力よりも小さくする場合、第２粘着層２２を、下層３の第１粘着層３２と同程度の粘着力を有する粘着剤を用いてもよいが、粘着力の異なる粘着剤を用いてもよい。
【００７４】
例えば、上層２の第２粘着層２２を、下層３の第１粘着層３２と同程度の粘着力を有する粘着剤を用いて、第２粘着層２２の厚さを、第１粘着層３２の厚さよりも薄くすることによって、第２粘着層２２の上記引き剥がし力を第１粘着層３２の上記引き剥がし力よりも小さくする。
【００７５】
或いは、上層２の第２粘着層２２を構成する粘着剤を、下層３の第１粘着層３２を構成する粘着剤よりも粘着力の小さいものを用いることによって、第２粘着層２２の上記引き剥がし力を第１粘着層３２の上記引き剥がし力よりも小さくする。
【００７６】
又は、例えば上層２の第２粘着層２２を構成する粘着剤として、発熱剤２１の熱によって硬化して粘着力が低下し得るものを用い、発熱剤２１が発熱できなくなった時点で、第２粘着層２２の上記引き剥がし力を第１粘着層３２の上記引き剥がし力よりも小さくするようにしてもよい。
【００７７】
さらには、例えば上層２の第２粘着層２２を構成する粘着剤として、水溶性ゲルを用い、発熱剤２１の熱による水分含有量の変化で粘着力が低下し、発熱剤２１が発熱できなくなった時点で、第２粘着層２２の上記引き剥がし力を第１粘着層３２の上記引き剥がし力よりも小さくするようにしてもよい。
【００７８】
又、上記実施形態では、第２粘着層２２を、熱変形部材６の下面の両端縁部に配設しているが、この形態のものに限らず、適宜変更できる。
【００７９】
例えば熱変形部材６の下面の全体に非粘着領域２４を形成し、或いは、熱変形部材６の下面の全体に粘着領域２３を形成してもよい。熱変形部材６の下面の全体に粘着領域２３を形成した場合でも、熱変形部材６の変形によって、熱変形部材６の端縁部が下層３から剥がれ、又は剥がれ易くできる。
【００８０】
又、上層２と下層３の形状や大きさは、特に限定されず、適宜変更できる。例えば、上層２を、下層３よりも小さく又は大きくしても良い。
【００８１】
又、上記実施形態では、第１血行促進部材として磁石５を用いているが、磁石５を用いる形態のものに限らず、例えば第１血行促進部材として、磁石５に代えて、或いは磁石５と共に、血行促進効果を示す薬剤を用いても良く、適宜変更できる。
【００８２】
又、上記実施形態では、身体血行促進具をフィルム包装材から取り出した後に、ユーザが磁石を下層３の第１粘着層３２に接着するようにしているが、この形態のものに限らず、予め下層３の下面に保持させたものであっても良い。
【符号の説明】
【００８３】
１    身体血行促進具
２    上層
３    下層
４    剥離紙
５    磁石（第１血行促進部材）
２１    発熱剤（第２血行促進部材）
２２    第２粘着層
３２    第１粘着層
【図１】
2010274056.tif 000003
【図２】
2010274056.tif 000004
【図３】
2010274056.tif 000005
【図４】
2010274056.tif 000006
【図５】
2010274056.tif 000007
【図６】
2010274056.tif 000008
【図７】
2010274056.tif 000009